(57)【特許請求の範囲】
【請求項１】
前壁及び後壁を含む袋体であって、該袋体の開口端部が全周に亘って該袋体の内側へ折り畳まれてなる折畳み部を有する袋体と、
上記前壁及び後壁の左右の端部から延設された側壁が上記折畳み部の一部とともに上記袋体の内方へ谷折りされてなる襠部において、上記折畳み部がオーバラップしている箇所に穿孔された複数の孔を通る一連のループ状の布紐と、
を備え、
上記前壁及び後壁の少なくとも一方において上記折畳み部の穿孔されていない所定の部分を上方へ折り返してフラップとすることができるように、上記折畳み部において上記襠部の谷底の位置よりも外側の位置である上記左右の端部寄りの位置に切込み又はミシン目が形成されており、さらには、
上記上方へ折り返されたフラップが上記袋体の開口を覆うように上記上方から下方へさらに折り返されている場合に、上記一連のループ状の布紐が上記袋体の片側へ引っ張られると、該布紐によって上記フラップが上記袋体の前壁又は後壁に押さえつけられ得るように、該布紐が上記前壁及び後壁に形成された孔にも通されていることを特徴とする、フラップ付き紙袋。
【請求項２】
上記袋体の前壁及び後壁の両方において、上記折畳み部の穿孔されていない所定の部分を上方へ折り返してフラップとすることができるように、上記切込み又はミシン目が形成されていることを特徴とする、請求項１に記載のフラップ付き紙袋。
【請求項３】
上記前壁及び後壁の両方における上記所定の部分が互いに係合し得るように構成されていることを特徴とする、請求項２に記載のフラップ付き紙袋。
【請求項４】
フラップ付き紙袋を製造する方法であって、
前壁及び後壁を含む袋体の全周に亘る開口端部を該袋体の内側へ折り畳んで折畳み部を形成するステップと、
上記前壁及び後壁の左右の端部から延設された側壁を上記折畳み部の一部とともに上記袋体の内方へ谷折りして襠部を形成するステップと、
上記襠部において、上記折畳み部がオーバラップしている箇所に複数の孔を穿孔するステップと、
上記折畳み部のうち穿孔されていない所定の部分を上方へ折り返してフラップとすることができるように、上記袋体の前壁及び後壁の少なくとも一方における上記折畳み部において上記襠部の谷底の位置よりも外側の位置である上記左右の端部寄りの箇所に切込み又はミシン目を形成するステップと、
上記複数の孔に布紐を通し、この布紐を一連のループ状にするステップと、
を含み、
上記一連のループ状にするステップは、
上記上方へ折り返されたフラップが上記袋体の開口を覆うように上記上方から下方へさらに折り返されている場合に、上記一連のループ状の布紐が上記袋体の片側へ引っ張られると、該布紐によって上記フラップが上記袋体の前壁又は後壁に押さえつけられ得るように、該布紐を上記前壁及び後壁に形成された孔にも通してから一連のループ状にすることをさらに含む、フラップ付き紙袋を製造する方法。
【請求項５】
上記袋体の前壁及び後壁の両方において、上記折畳み部のうち穿孔されていない所定の部分を上方へ折り返してフラップとすることができるように、上記切込み又はミシン目を形成することをさらに含む、請求項４に記載のフラップ付き紙袋を製造する方法。
【発明の詳細な説明】
【技術分野】
【０００１】
本発明は、紙袋及びこれを製造する方法に関し、詳しくは、雨の日にも収容物が濡れないようにすることのできるフラップ付き紙袋及びこれを製造する方法に関する。
【背景技術】
【０００２】
プラスチック廃棄物による海洋汚染等が大きな問題となっている現在、プラスチックの袋の代替物として、環境への負荷の小さい紙袋の需要が高まっている。百貨店などにおいて消費者が商品を購入する際に手渡される紙袋の一例として、手提げ用の布紐を備える紙袋がある。
【０００３】
また、雨の日において、紙袋の内側へ雨水が浸入することを防ぐ対策として、商品の入った紙袋の上からビニール袋を被せることが一般に行なわれている。
【０００４】
特許文献１に記載の紙袋は、そのようなビニール袋を被せる必要なく、当該紙袋の開口端部に設けられた開閉用フラップを使って開口を閉塞することにより、当該紙袋内へ雨水が浸入することを防ぐことができるものである。
【先行技術文献】
【特許文献】
【０００５】
【特許文献１】特許第３２１７６５０号公報
【特許文献２】特許第５９６１６５０号公報
【発明の概要】
【発明が解決しようとする課題】
【０００６】
しかし仮に、特許文献１の図１に示される紙袋の袋体に複数の孔を形成し、かつそれらの孔に肩掛け用の布紐を通すとした場合、穿孔される箇所の紙片が一重（１枚）であるために、当該紙袋が重い物品を収容している時に、その布紐から応力を受ける孔の周辺において紙が破け易いという短所があると考えられる。
【０００７】
また、紙袋は大量生産されるものであるので、収容物が濡れないようにすることのできるフラップ付き紙袋の製造に係るコストをできるだけ抑える必要がある。
【課題を解決するための手段】
【０００８】
前壁及び後壁を含む袋体であって、該袋体の開口端部が全周に亘って該袋体の内側へ折り畳まれてなる折畳み部を有する袋体と、前壁及び後壁の左右の端部から延設された側壁が折畳み部の一部とともに袋体の内方へ谷折りされてなる襠部において、折畳み部がオーバラップしている箇所に穿孔された複数の孔を通る一連のループ状の布紐と、を備え、前壁及び後壁の少なくとも一方において折畳み部の穿孔されていない所定の部分を上方へ折り返してフラップとすることができるように、折畳み部の所定の位置に切込みが形成されていることを特徴とする、フラップ付き紙袋を提供する。
【０００９】
また、前壁及び後壁を含む袋体であって、該袋体の開口端部が全周に亘って該袋体の内側へ折り畳まれてなる折畳み部を有する袋体と、前壁及び後壁の左右の端部から延設された側壁が折畳み部の一部とともに袋体の内方へ谷折りされてなる襠部において、折畳み部がオーバラップしている箇所に穿孔された複数の孔を通る一連のループ状の布紐と、を備え、前壁及び後壁の少なくとも一方において折畳み部の穿孔されていない所定の部分を上方へ折り返してフラップとすることができるように、折畳み部の所定の位置にミシン目が付されていることを特徴とする、フラップ付き紙袋を提供する。
【００１０】
一実施例においては、前壁及び後壁の両方において折畳み部の穿孔されていない所定の部分を上方へ折り返すことができるように構成されており、前壁及び後壁の両方における所定の部分が上方へ折り返されたときに互いに係合し得るように構成されていることを特徴とする。
【００１１】
本発明のさらに他の実施例においては、フラップ付き紙袋を製造する方法が、  前壁及び後壁を含む袋体の全周に亘る開口端部を該袋体の内側へ折り畳んで折畳み部を形成するステップと、前壁及び後壁の左右の端部から延設された側壁を折畳み部の一部とともに袋体の内方へ谷折りして襠部を形成するステップと、襠部において、折畳み部がオーバラップしている箇所に複数の孔を穿孔するステップと、折畳み部のうち穿孔されていない所定の部分を上方へ折り返してフラップとすることができるように、袋体の前壁及び後壁の少なくとも一方における折畳み部において襠部の谷底の位置よりも外側の位置である左右の端部寄りの箇所に切込み又はミシン目を形成するステップと、複数の孔に布紐を通し、この布紐を一連のループ状にするステップと、を含み、上記一連のループ状にするステップは、上方へ折り返されたフラップが袋体の開口を覆うように上方から下方へさらに折り返されている場合に、一連のループ状の布紐が袋体の片側へ引っ張られると、該布紐によってフラップが袋体の前壁又は後壁に押さえつけられ得るように、該布紐を前壁及び後壁に形成された孔にも通してから一連のループ状にすることをさらに含む。
【００１２】
さらには、フラップ付き紙袋を製造する方法は、袋体の少なくとも表面に撥水加工を施すステップを含み得る。
【図面の簡単な説明】
【００１３】
【図１】本発明の一実施例におけるフラップ付き紙袋を示す図。
【図２】図１に示した紙袋のフラップの使用方法を説明する図。
【図３】他の実施例におけるフラップの使用方法を説明する図。
【図４】様々な実施例における切込みとフラップの形状を示す図。
【図５】他の実施例におけるフラップ付き紙袋を示す図。
【図６】図５に示した紙袋のフラップの使用方法を説明する図。
【図７】折畳み部にミシン目が形成された紙袋を示す図。
【図８】使用者が本発明の紙袋を持ち歩いている様子を示す図。
【発明を実施するための形態】
【００１４】
本発明のフラップ付き紙袋（以下、単に「紙袋」ともいう。）及びこれを製造する方法について、添付の図を参照しつつ説明する。
【００１５】
図１（ａ）に示されるように、紙袋１の袋体は、前壁２及び後壁４を含み、該袋体の開口端部が全周に亘って紙袋１の内側へ折り畳まれてなる折畳み部１０を有する。紙袋１はさらに、袋体の前壁２及び後壁４の左右の端部から延設された側壁が折畳み部１０の一部とともに袋体の内方へ谷折りされてなる襠（まち）部６を有する。
【００１６】
この襠部６において折畳み部１０がオーバラップしている箇所に、複数の孔１２が穿孔されており、これらの孔１２に一連のループ状の布紐１４が通されている。各図においては、布紐１４として（円形の断面形状を有する）丸紐が示されているが、丸紐の代わりに、（平坦な断面形状を有する）平紐が用いられる場合もある。一実施例においては、トウモロコシの皮などの天然素材からつくられた布紐１４が使用される場合もある。
【００１７】
さらには、折畳み部１０のうち穿孔されていない所定の部分を上方へ折り返してフラップ１８とすることができるように、後壁４の左端寄り及び右端寄りの２箇所に形成された孔１２と孔１２の間に２つの切込み１６が形成されている。
【００１８】
図１（ｂ）は、図１（ａ）に示した紙袋１の後壁４に形成された切込み１６間のフラップ１８が上方へ折り返された状態を示している。
【００１９】
図２は、図１に示した紙袋１の使用方法を説明する図である。使用者は最初に、図２（ａ）に示されるように、紙袋１の袋体の後壁４に形成された切込み１６間の折畳み部１０の穿孔されていない所定の部分を上方へ折り返してフラップ１８とすることができる。次に図２（ｂ）に示されるように、使用者は、紙袋１の袋体の前壁２及び後壁４の上端部どうしを当接させるようにして開口８を閉じることができる。続いて図２（ｃ）に示されるように、使用者がフラップ１８を下方へ折り畳むと、そのフラップ１８が紙袋１の開口８を覆う。そして、必要に応じて粘着テープ等を使って、前壁２にフラップ１８を固定することができる。
【００２０】
図３に示される他の実施例においては、フラップ１８に形成された係合片２４と、これに応じて前壁２に形成されたスリット２２とが互いに係合可能に構成されている。使用者は最初に、図３（ａ）に示されるように、紙袋１の袋体の後壁４に形成された切込み１６間の所定の部分を上方へ折り返してフラップ１８とすることができる。次に図３（ｂ）に示されるように、使用者は、紙袋１の袋体の前壁２及び後壁４の上端部どうしを当接させるようにして開口８を閉じることができる。続いて図３（ｃ）に示されるように、使用者がフラップ１８の中央部に形成された係合片２４を前壁２のスリット２２へ挿入するようにフラップ１８を前壁２側へ折り畳むと、そのフラップ１８が係合されるとともに、そのフラップ１８が開口８を覆う。そして、必要に応じて粘着テープ等を使って、前壁２にフラップ１８を固定することができる。
【００２１】
図４は、本発明の様々な実施例における切込み１６とフラップ１８の形状を示す。図４（ａ）に示される実施例においては、折畳み部１０の所定の位置に切込み１６が斜めに形成されている。図４（ｂ）に示される実施例においては、フラップ１８の左右の角が取られて丸みを帯びている。また、図４（ｂ）に一点鎖線７で示されている襠部の谷底の位置７よりも外側の所定の位置に切込み１６が形成されており、これによって、袋体の開口が閉じられてフラップ１８が下方へ折り畳まれる際に襠部の少なくとも一部を覆うことができるほど長いフラップ１８となる。図４（ｃ）に示される実施例においては、フラップ１８の一部が突出しており、手指で掴み易い形状に形成されている。本発明のさらなる実施例においては、これら以外の切込み１６とフラップ１８の形状に形成される場合もある。
【００２２】
図５に示されるさらに他の実施例においては、紙袋３０の前壁３２及び後壁３４の両方に形成されたフラップ４８を立ち上げることができるように構成されている。図５（ａ）に示されるように、前壁３２の左端寄り及び右端寄りの２箇所に形成された孔４２間と、後壁３４の左端寄り及び右端寄りの２箇所に形成された孔４２間とにおいて、折畳み部４０に２つの切込み４６が形成されている。これらの切込み４６間の所定の部分が上方へ折り返されると、フラップ４８として機能し得る。
【００２３】
図５（ｂ）は、図５（ａ）に示した紙袋３０のフラップ４８が上方へ折り返されたときの様子を示している。これらのフラップ４８の基部に形成された切欠き５０を使って、前壁３２と後壁３４の各々におけるフラップ４８が互いに係合され得るように構成されている。
【００２４】
図６は、図５（ｂ）に示した紙袋３０の使用方法を説明する図である。使用者は最初に、図６（ａ）に示されるように、袋体の前壁３２及び後壁３４の各々の折畳み部４０に形成された切込み４６間の所定の部分を上方へ折り返してフラップ４８とすることができる。次に図６（ｂ）に示されるように、使用者は、紙袋１の袋体の前壁３２及び後壁３４の各々のフラップ４８どうしを当接させるようにして開口３８を閉じることができる。このとき図６（ｃ）に示されるように、各フラップ４８の切欠き５０を使って前壁３２と後壁３４を互いに係合させる。続いて図６（ｄ）に示されるように、使用者がフラップ４８を下方へ折り畳むと、そのフラップ４８が開口３８を覆う。そして、必要に応じて粘着テープ等を使って、前壁３２にフラップ４８を固定することができる。
【００２５】
図７に示される実施例においては、紙袋６０の袋体の所定の箇所に切込みが形成される代わりに、ミシン目７６が形成されている。紙袋６０の袋体に形成されたミシン目７６以外の部分については、図１〜図５に示した紙袋１と同様に構成され得る。紙袋６０の使用者は、雨の日などに必要に応じて、折畳み部７０の所定の位置をミシン目７６に沿って引き裂くことにより、折畳み部７０のうち穿孔されていない所定の部分を上方へ折り返してフラップとすることができる。
【００２６】
上述した種々の紙袋を製造する方法においては、紙袋の袋体の少なくとも表面に撥水加工が施される場合がある。袋体の少なくとも表面に撥水加工が施される場合、袋体内へ水分が浸み込むことを防ぐことができる。撥水加工を施すために用いられる撥水剤としては、富士インキ製造株式会社から調達可能な水性ＯＰニス・メジュームシリーズや、株式会社舞昆のこうはらから調達可能なアルコートＴＥＣ２０等がある。紙袋の袋体の表面に天然素材を主成分とする撥水剤を使って撥水加工が施され、かつその紙袋にトウモロコシの皮などの天然素材からつくられた布紐が使用される場合、紙袋の全体が天然素材からつくられることとなるので、その紙袋が環境に与える負荷は非常に小さいものとなる。
【００２７】
図８は、図２（ｃ）に示した本発明のフラップ付き紙袋１を使用者が持ち歩いている様子を示している。図８（ａ）は、使用者が紙袋１を手に提げて歩いている様子を示しており、前壁２と後壁４の両方の側から布紐１４が延びている。
【００２８】
図８（ｂ）は、使用者が紙袋１を肩に掛けている様子を示している。使用者は、図８（ａ）に示した一連のループ状の布紐１４を単に片側へ引っ張るだけで、紙袋１を肩に掛けることができるようになると同時に、引っ張られた布紐１４によってフラップ１８が押さえつけられて袋体の開口８が閉じる（図８（ｂ）を参照）。
【００２９】
以上のように、本発明のフラップ付き紙袋１，３０，６０は、襠部において折畳み部がオーバラップした箇所の孔を通る布紐を有するので、重い物品を収容している時に布紐から力を受けても、孔の周辺の紙が破けてしまうことが少ない。また、本発明のフラップ付き紙袋１，３０，６０は、使用者が手に提げることも肩に掛けることもできるという意味において、いわばツーウェイ（Ｔｗｏ−Ｗａｙ）で使用できるものである。
【符号の説明】
【００３０】
１…紙袋
２…前壁
４…後壁
６…襠部
７…一点鎖線（襠部６の谷底の位置）
８…開口
１０…折畳み部
１２…孔
１４…布紐
１６…切込み
１８…フラップ
２０…係合片
２２…スリット
２４…係合片
３０…紙袋
３２…前壁
３４…後壁
３６…襠部
３８…開口
４０…折畳み部
４２…孔
４４…布紐
４６…切込み
４８…フラップ
５０…切欠き
５２…係合片
５４…スリット
６０…紙袋
６２…前壁
６４…後壁
６６…襠部
６８…開口
７０…折畳み部
７２…孔
７４…布紐
７６…ミシン目
【図１】
0006946394.tif 000002
【図２】
0006946394.tif 000003
【図３】
0006946394.tif 000004
【図４】
0006946394.tif 000005
【図５】
0006946394.tif 000006
【図６】
0006946394.tif 000007
【図７】
0006946394.tif 000008
【図８】
0006946394.tif 000009